(57)【特許請求の範囲】
【請求項１】
ステムが設けられた第１エアゾール容器及び第２エアゾール容器と、
並べて置いた前記両容器のステムに係合し、前記ステムと共に上下動可能で、前記ステムが下げられた際に、前記両容器から前記ステムを通して放出された内容物を混合して、前記両容器の長手方向に対して垂直に向けられた１つの吐出口から同時に噴射する誘導路を形成されたノズルと、
前記ノズルを上方から覆うと共に前記両容器に係合するカバーと、
該カバーに、前記ノズルとは別体で構成されるとともに前記両容器のステムを結ぶ直線に対して平行に形成された支軸を中心として上下動可能に設けられ、前記ノズルに当接して前記ノズル及びステムを上方から押下可能なレバーと、
を備えた２剤吐出容器であって、
前記ノズルに当接する該レバーの当接部から前記支軸までの長さと該レバーの先端から該支軸までの長さとの比を、１：２．５〜１：６．５とし、
前記レバーを、前記各ステムの中心軸に直交する水平面に対して１５°〜３０°上方に傾斜した状態で前記ノズルに当接して押下を開始するよう、前記カバーに設けたことを特徴とする２剤吐出容器。
【請求項２】
前記第１エアゾール容器は、染毛剤第１剤を収容し、
前記第２エアゾール容器は、染毛剤第２剤を収容することを特徴とする請求項１に記載の２剤吐出容器。
【発明の詳細な説明】
【０００１】
【発明の属する技術分野】
本発明は、２個のエアゾール容器から放出される内容物を混合して１つの吐出口から同時に射出する２剤吐出容器に関する。
【０００２】
【従来の技術】
従来より、２種類の液剤を混合して使用されるものとして、染毛剤、ペンキ等が知られている。
例えば、染毛剤の場合、別々の容器に封入された染毛剤第１剤と染毛剤第２剤とをアプリケータ内やトレイ上で混合して染毛効果を発揮できるようにした後、毛髪へ塗布することが、一般的に行われている。しかし、混合作業に手間がかかる上、混合直後に毛髪に塗布しなければならないという制約がある。
【０００３】
この様な手間を省くため、例えば実公昭４８−２６９６７号公報に記載のような２剤吐出容器があった。この２剤吐出容器は、ステムが設けられた２つのエアゾール容器と、並置された両エアゾール容器のステムに係合し、ステムと共に上下可能で、ステムが下げられた際に、両エアゾール容器からステムを通して放出された内容物を同時に射出する誘導路が形成された押圧体を備えたものである。この押圧体を指で押し下げると、それに伴って両エアゾール容器のステムが押し下げられ、両エアゾール容器から染毛剤第１剤及び染毛剤第２剤が、押圧体に形成された誘導路を介して同時に射出される。このような構成の２剤吐出容器によれば、例えばブラシ上に両剤を混合しつつ同時に吐出させて、混合の手間を省いて、速やかに染毛作業を行うことができる。
【０００４】
【発明が解決しようとする課題】
しかし、押圧体の指で押される位置の微妙なずれによって各ステムに加わる力が変化してしまうので、各ステムを均等に押し下げることが容易でない。このため、押圧体を押し下げる度に両剤の吐出量の比（即ち、混合比）が変動し易く、期待する色調に染毛できなかったり染めむらが生じやすいという問題があった。
【０００５】
同様に、例えば２種類のペンキ（或いは、ペンキとシンナー等）を収容した上記の２剤吐出容器の場合も、使用の度に両剤の混合比が変動して、色彩が変化してしまうという問題が発生する。
本発明は、こうした課題に鑑み、２個のエアゾール容器に夫々収容された２種類の内容物を一定の比率で混合して同時に射出できる２剤吐出容器を提供することを目的とする。
【０００６】
【課題を解決するための手段及び発明の効果】
上記課題を解決するために為された本発明の請求項１に記載の２剤吐出容器は、ステムが設けられた第１エアゾール容器及び第２エアゾール容器と、並べて置いた前記両容器のステムに係合し、前記ステムと共に上下動可能で、前記ステムが下げられた際に、前記両容器から前記ステムを通して放出された内容物を混合して、前記両容器の長手方向に対して垂直に向けられた１つの吐出口から同時に噴射する誘導路を形成されたノズルと、前記ノズルを上方から覆うと共に前記両容器に係合するカバーと、該カバーに、前記ノズルとは別体で構成されるとともに前記両容器のステムを結ぶ直線に対して平行に形成された支軸を中心として上下動可能に設けられ、前記ノズルに当接して前記ノズル及びステムを上方から押下可能なレバーと、を備えた２剤吐出容器であって、前記ノズルに当接する該レバーの当接部から前記支軸までの長さと該レバーの先端から該支軸までの長さとの比を、１：２．５〜１：６．５とし、前記レバーは、前記各ステムの中心軸に直交する水平面に対して１５°〜３０°上方に傾斜した状態で前記ノズルに当接して押下を開始するよう、前記カバーに設けたことを特徴とする。
【０００７】
このように、請求項１記載の２剤吐出容器によれば、後述する実験から明らかである様に、レバーがノズルに当接して押下する力を作用させる当接部から支軸までの長さとレバーの先端から支軸までの長さとの比が１：２．５〜１：６．５とされ、レバーは、各ステムの中心軸に直交する水平面に対して１５°〜３０°上方に傾斜した状態で、前記ノズルに当接して押下を開始するよう、カバーに設けられていることから、レバーが押し下げやすく、常にほぼ一定の比率で両容器の内容物を混合しつつ吐出させることができるという効果を奏する。
【０００８】
更に、後述する実験の結果から、ノズルに当接するレバーの当接部から支軸までの長さとレバーの先端から支軸までの長さとの比を１：３．０〜１：５．５とすると、両剤の比率のばらつきが最も小さくすることができるので、更に好ましい。
【０００９】
なお、このように構成された２剤吐出容器は、第１容器には染毛用第１剤を充填し、かつ第２容器には染毛用第２剤を充填すれば、両剤を混合する手間が省くことができ、簡便に染毛作業を行うことができると共に、適切な比率で染毛剤第１剤及び第２剤を混合・吐出させて、常に最適な染毛効果を得ることができる。
【００１０】
【発明の実施の形態】
以下に、本発明の一実施例としての２剤吐出容器を図面と共に説明する。
図１は、本発明の一実施例としての２剤吐出容器１の全体的構造を示す分解斜視図である。
【００１１】
２剤吐出容器１は、図１に示すように、ステム１８を有するマウンテインカップ１６を上部に装着した第１エアゾール容器２（以下、単に「第１容器２」という。）と、ステム１９を有するマウンテインカップ１７を上部に装着した第２エアゾール容器３（以下、単に「第２容器３」という。）と、マウンテインカップ１６及び１７に係合して第１容器２と第２容器３とを連結する連結部８と、ステム１８及び１９に脱着可能な導入部５７ａ及び５７ｂが形成されたノズル７と、ノズル７を上方から覆うようにして、連結部８に係合するカバー５と、を備えている。尚、第１容器２及び第２容器３は、連結部８による連結のみでは、相対的な位置関係が安定せず両ステムの中心軸が平行となり難いので、図２に示すように、シュリンクパック２９により、互いに固定されている。
【００１２】
ノズル７は、略箱状のノズル基部５１と、ノズル基部５１の下面に形成され、ノズル基部５１まで貫通する導入口５５ａ及び５５ｂを夫々有する上述の導入部５７ａ及び５７ｂと、ノズル基部５１まで貫通する吐出口５９を有する吐出部６１及びノズル基部５１の内面に嵌合する嵌合部５３ａを有するノズル前部５３とを備えている。
【００１３】
カバー５は、カバー５の前方に設けられたヒンジ４１ａ及び４１ｂを介して形成された略平板状のレバー２０と、ノズル７をステム１８及び１９に結合させた際に、ノズル７の吐出部６１を露出させるための貫通口３８と、を備えている。尚、レバー２０の裏面には、レバー２０にかかる力をノズル７に効率良く伝達するための当接部２０ａ及び２０ｂが形成されている。
【００１４】
第１容器２は、その断面図である図３に示すように、ブリキで略円筒形に形成され、エポキシアミノ樹脂／エポキシアミノ樹脂／エポキシアミン樹脂を積層して内面塗装された直径２８ｍｍの第１容器本体２ａと、前述のステム１８を有するマウンテインカップ１６とを備えている。第１容器本体２ａ内部には、染毛剤第１剤（以下、単に「第１剤」という。）と、第１剤を噴射させるための噴射剤とが充填されている。
【００１５】
第２容器３は、アルミニウムで略円筒形に形成された直径２８ｍｍの第２容器本体３ａと、前述のステム１９を有するマウンテインカップ１７と、マウンテインカップ１７に固着された内袋６とを備えている。内袋６内部には、染毛剤第２剤（以下、単に「第２剤」という。）と、第２剤を噴射させるための噴射剤が充填されている。
【００１６】
内袋６は、弾性変形可能な材質であり、例えば高密度ポリエチレン（ＨＤＰＥ）、低密度ポリエチレン（ＬＤＰＥ）、直鎖状低密度ポリエチレン（ＬＬＤＰＥ）、エチレン・酢酸ビニル共重合体けん化物（ＥＶＯＨ）、ポリアクリルニトリル、ポリエチレンテレフタレート（ＰＥＴ）、ポリプロピレン、ビニール、ナイロン等の単層の合成樹脂製、及びこれらの積層体が挙げられるが、ＰＥ／ＥＶＯＨ／ＰＥ等の積層体及びＨＤＰＥが内容物及びガスの透過性を防ぐ点から好ましい。またその厚さ０．１〜１．０ｍｍが内容物の保持性及び収縮性の点から好ましい。また第１容器２の内側に同様の内袋を設けてもよい。尚、本実施例では、ＰＥ／ＥＶＯＨ／ＰＥ製の内袋６を使用している。
【００１７】
また第１容器２及び第２容器３のマウンテインカップ１６、１７及びバルブ９、１０に関しては、耐腐食性を考慮することが好ましく、たとえばマウンテインカップ１６、１７の材質としてはアルミニウム、アルマイト、ブリキ、ステンレスが挙げられ、耐薬品性の点からはステンレス製、ＰＥＴ等によりラミネート加工したアルミニウム、ブリキ製が好ましい。さらに染毛剤の原液が金属部に直接、接しないように内袋６がバルブ１０（内袋を第１容器２に設けた場合は、バルブ９も含む）の端部に嵌合するものが好ましい。このバルブ９，１０はフッ素ゴムあるいはＮＢＲが耐薬品性の点から好ましい。
【００１８】
さらに第１容器２及び第２容器３の内面をコート剤で被覆することが好ましく、夫々の容器の内容物の液性を考慮すると、第１容器本体２ａの内面はエポキシフェノール樹脂、エポキシユリア樹脂、エポキシアミノ樹脂、エポキシアミン樹脂のシングルコート、ダブルコートあるいはトリプルコートで塗装し、第２容器本体３ａの内面はポリアミドイミド系樹脂で塗装するのが、容器内面の金属表面を夫々の内容物による腐食から守るという耐薬品性の点で最も好ましい。
【００１９】
第１容器本体２ａ及び第２容器本体３ａの材質としては、ブリキ、ティンフリー鋼板、ステンレススチール、アルミニウム等が挙げられるが、汎用性の面からブリキやアルミニウムが特に好ましいため、本実施例では、上述の様に第１容器２ａにはブリキを使用し、第２容器本体３ａにはアルミニウムを使用している。
【００２０】
さて、図２及び図３に示すように、レバー２０の先端はカバー５が形成する外周面よりも外に突出している。レバー２０の先端がカバー５の外周面よりも外側に突出するように、レバー２０を長くすることにより、レバー２０に指を掛けた場合、先端の指掛け部３２に指が掛かり易くなる。そのため、レバー２０のヒンジ４１ａ及び４１ｂで形成される支軸から最も遠い位置に力が加わることになり、てこの原理により、弱い力でもノズル７に十分な下向きの力を加えることができる。
【００２１】
図４に示すように、吐出部６１を、カバー５よりも前方に突出させることにより、使用時に２剤吐出容器１を傾斜させる角度を小さくすることができ、噴射剤のみが排出される可能性を少なくすることができる。また吐出部６１の突出する長さＣはなるべく長い方が良いが、この長さＣが５０ｍｍを越えると染毛剤の目詰まりやブラシ上への吐出操作がやや困難になるため、５０ｍｍ以下が好ましい。特に、その長さＣを３５ｍｍ以下とすれば、目詰まりの可能性が少なくなると共に、万一詰まっても洗浄しやすいため、更に好ましい。
【００２２】
以上のように構成された本実施例の２剤吐出容器１を使用するには、まず、図２に示す状態の２剤吐出容器１を持ち、例えば人差し指を指掛け部３２に掛けてレバー２０を押し下げる。レバー２０の押下に伴い、ノズル７が、ステム１８及び１９と共に下がる。その結果、第１容器２に充填された第１剤、及び、第２容器３に充填された第２剤は、夫々噴射剤の圧力により、ステム１８及び１９、導入口５５ａ及び５５ｂを介して、ノズル基部５１内に導入される。そして、両剤は混合されつつ、吐出部６１から吐出される。こうして、混合されて吐出された両剤をブラシ上に受けて、そのまま頭髪を梳くことにより容易に染毛剤を塗布することができる。
【００２３】
発明者は、上記の様に構成された２剤吐出容器１において、レバー２０が異なる１８種類の試料を用意し、試験者として２０人の女性の協力を得て１８種類全ての２剤吐出容器１を操作してもらい、両容器に夫々充填した両剤が所定の比率で吐出されるかどうか、又、レバーを操作し易いかどうか（即ち、押し下げ易さ）について試験を行った。表１に、夫々の試料のレバーの形態（支軸〜作用点（ｍｍ）、支軸〜力点（ｍｍ）及びレバー角度）条件及びそれに対する結果（平均吐出比率、標準偏差、操作性）を示す。
【００２４】
【表１】
0003752374.tif 000002
【００２５】
尚、”支軸〜作用点Ａ（ｍｍ）”とは、ヒンジ４１ａ及び４１ｂが形成する支軸と、当接部２０ａ（又は当接部２０ｂ）とノズル７とが互いに当接する点と間の距離である。また、”支軸〜力点Ｂ（ｍｍ）”とは、支軸と、指が引っ掛かり力が加わるレバーの先端の指掛け部３２と、の間の距離（以下、「レバーの長さ」ともいう。）である。また、”距離比Ｂ／Ａ”とは、”支軸〜作用点Ａ（ｍｍ）”に対する”支軸〜力点Ｂ（ｍｍ）”の比率を意味している。また、”レバー角度”とは、２剤吐出容器１を、両ステム１８及び１９それぞれの中心軸が水平面に対して垂直になるように、直立させた状態において、レバー２０が水平面となす角度を意味している。
【００２６】
また、”平均吐出比率”とは、吐出比率の平均値である。吐出比率は、レバー２０を押すことによって同時に吐出された、第２剤に対する第１剤の比率、即ち（第１剤の吐出重量）／（第２剤の吐出重量）である。第１剤の吐出重量、第２剤の吐出重量は、吐出試験の前後における第１容器と第２容器の重量を測定することで得られる。仮に、両剤が同量吐出されれば、吐出比率は１になる。吐出比率が１よりも大きいと第１剤の吐出量が多く、逆に１よりも小さいと第２剤の吐出量が多いことを意味する。本実施例では、第１剤と第２剤が１：１の割合で均等に噴出されるよう設定してあるので、吐出比率が１に近いほど好ましい。尚、表中の記号は夫々次のような意味である。
◎：０．９０〜１．１０
○：０．８０〜０．８９、又は１．１０〜１．２０
△：０．７０〜０．７９、又は１．２１〜１．３０
×：０．６９以下、又は１．３１以上
”標準偏差”とは、このように測定された吐出比率の標準偏差である。この値が大きい場合、試験者間の  又は、レバー２０を操作する度に吐出比率が大きく変動していることを意味する。標準偏差は０に近いほど、試験者間のばらつきが少なくなることを意味するので、好ましい。尚、表中の記号は夫々次のような意味である。
◎：０．１未満
○：０．１〜０．２未満
△：０．２〜０．６未満
×：０．６以上
”操作性”とは、各試験者が、レバー２０の押し下げ易さを評価したものであり、最も多い回答を表１に示した。尚、表中の記号は夫々次のような意味である。
◎：軽くスムースに押し下げやすい
○：押し下げやすい
△：やや押し下げにくい
×：  押し下げにくい
第１剤としては、表２に示す組成のものを使用した。
【００２７】
【表２】
0003752374.tif 000003
【００２８】
噴射剤としては液化石油ガスを使用し、第１剤と噴射剤と重量比が、９４：６となるよう、第１容器２に充填した。
また、第２剤としては、表３に示す組成のものを使用した。
【００２９】
【表３】
0003752374.tif 000004
【００３０】
噴射剤としては同じく液化石油ガスを使用し、第２剤と噴射剤との重量比が９４：６となるよう、第２容器３に充填した。
本発明の実施例としての第１〜第４試料、及び、比較例としての第２１〜２５試料は、距離比Ｂ／Ａを一定として、レバー角度を様々な値に設定したものである。レバー角度が１５°〜３０°の範囲では、平均吐出比率は１：１付近であり、標準偏差も０．２未満であって試験者間のばらつきも少なく、かなり良好である。また、操作難易度の評価も高い。そして、特に、レバー角度が２０°〜２５°の範囲では、吐出比率、標準偏差及び操作難易度共に良好であり、もっとも好ましい。
【００３１】
一方、第２１〜２５試料の様に、レバー角度が１５°〜３０°の範囲外では良好な結果が得られない。例えば第２２、２３試料の場合、平均吐出比率は良好であるが、レバー２０の操作性が悪い上、標準偏差が大きく試験者間のばらつきが大きいため、人によっては良好な染毛効果が得られない可能性がある。また、第２１、２４、２５試料は、平均吐出比率が１から大きく外れ試験者間のばらつきが大きい。そのため、これらの試料では、良好な染毛結果が得られない可能性がある。また、レバー２０の操作性も悪い。従って、第２１〜２５試料を、実際の染毛作業に使用するのは好ましいとはいえない。
【００３２】
以上のことから、レバー角度は１５°〜３０°の範囲が好ましく、特に２０°〜２５°の範囲が最も好ましいことが分かる。
また、本発明の実施例としての第５〜１１試料、及び、比較例としての第２６、２７試料は、レバー角度を一定として、距離比Ｂ／Ａを様々な値に設定したものである。距離比Ｂ／Ａが２．５〜６．５の範囲では、平均吐出比率は１付近であり、標準偏差も小さく実験者間でのばらつきが少なかったことが分かる。さらにレバー２０の操作性も良好であった。特に、距離比Ｂ／Ａが３．０〜５．５の範囲では標準偏差が小さく、吐出比率が安定しているので、期待通りの染毛効果を得ることができる。
【００３３】
一方第２６、２７試料の様に、距離比Ｂ／Ａが２．５〜６．５の範囲外では良好な結果が得られない。両試料共に、レバー２０の操作性が悪い上、標準偏差も大きく試験者間のばらつきが大きいため、人によっては良好な染毛効果が得られない可能性がある。従って、第２１〜２５試料を、実際の染毛作業に使用するのは好ましいとはいえない。
【００３４】
以上のことから、距離比Ｂ／Ａは２．５〜６．５の範囲が好ましく、特に３．０〜５．５の範囲が最も好ましいといえる。
以上本発明の実施例を説明したが、本発明は、上記実施例に限定されるものではなく、さらに種々なる態様にて実施してもよいことは勿論である。
【００３５】
例えば、上記実施例では、ノズル７（即ちノズル基部５１）の上部とレバー２０とを当接部２０ａ及び２０ｂの２点で互いに当接させたが、２点に限られるものではなく、ノズル７、更に両ステム１８及び１９に対して均等に力が加わるものであれば、当接点の数は問わない。
【００３６】
また、上記実施例では、レバー２０に突起（即ち、当接部２０ａ及び２０ｂ）を設けたが、これに替えて、ノズル７の上部に突起を設けるようにしても良い。また、上記実施例では、第１容器２及び第２容器３は実施例ではシュリンクパック２９によって固定されているが、これに限られるものではなく、例えば合成樹脂製のケースに収容すれば、更に強固に両容器を固定することができる。
【００３７】
また、上記実施例では、第１容器２と第２容器３に充填された第１剤と第２剤とが、１：１の割合で均等に噴出されるよう設定した。このように、通常は第１剤と第２剤の吐出比（混合比）は１：１に設定されるが、これ以外の吐出比（例えば、１：３〜３：１の間で設定される場合がある。）に設定してもよく、各エアゾール容器のステムの径やそのバルブの大きさ、あるいは噴射剤の圧力を適宜変えることにより、吐出比を調整することもできる。
【００３８】
また、第１剤に使用できる染毛剤としては、表２に示した成分の他、酸化染毛剤、半永久染毛料あるいは毛髪脱色剤等の公知の染毛剤を挙げることができる。
酸化染毛剤の場合、酸化染料中間体として、フェニレンジアミン類、アミノフェノール類、トルイレンジアミン類、アミノニトロフェノール類、ジフェニルアミン類、ジアミノフェニルアミン類、Ｎ−フェニルフェニレンジアミン類、ジアミノピリジン類等及びそれらの塩類の１種または２種以上が挙げられる。この塩類としては、塩酸塩、硫酸塩、酢酸塩等が挙げられる。これらの中でもパラフェニレンジアミン、パラトルイレンジアミン、Ｎ，Ｎ−ビス（２−ヒドロキシエチル）−パラフェニレンジアミン、Ｎ−フェニル−パラフェニレンジアミン、４，４’−ジアミノジフェニルアミン、２−クロロパラフェニレンジアミン、Ｎ，Ｎ−ジメチルパラフェニレンジアミン、パラアミノフェノール、２，６−ジクロロパラフェニレンジアミン、パラアミノフェニルスルファミン酸及びそれらの塩類が染毛力の点から好ましい。その配合量は染毛用第１剤の全重量に対して０．０１〜１５重量％であり、０．０１重量％よりも少ないと十分な染毛効果が得られず、１５重量％を越えてもその効果は変わらないので、却って経済的でない。さらには、０．１重量％〜１０重量％が好ましく、０．１重量％以上配合することにより、より優れた染毛効果が得られる。一方、１０重量％を越えた場合は染毛効果の上昇は少なくなる。
【００３９】
またレゾルシン、ピロガロール、カテコール、メタアミノフェノール、メタフェニレンジアミン、オルトアミノフェノール、２，４−ジアミノフェノール、１，２，４−ベンゼントリオール、トルエン−３，４−ジアミン、トルエン−２，４−ジアミン、ハイドロキノン、α−ナフトール、２，６−ジアミノピリジン、１，５−ジヒドロキシナフタレン、５−アミノオルトクレゾール、ジフェニルアミン、パラメチルアミノフェノール、フロログルシン、２，４−ジアミノフェノキシエタノール、没食子酸、タンニン酸、没食子酸エチル、没食子酸メチル、没食子酸プロピル、五倍子、５−（２−ヒドロキシエチルアミノ）−２−メチルフェノール等及びそれらの塩を配合することができる。その配合量は、０．０１重量％よりも少ないと十分な染色性が得られず、１０重量％を越えても、その効果は変わらず経済的ではないので、０．０１〜１０重量％が好ましい。そして特に、０．１重量％以上配合することにより、より優れた染色性が得られる一方、５重量％を越えた場合は染色性の上昇は少なくなるので、０．１重量％〜５重量％が更に好ましい。その他、「医薬部外品原料規格」（１９９１年６月発行，薬事日報社）に収載されたものも適宜、用いることができる。
【００４０】
さらに直接染料を配合することにより、染め上がり及び染色性により優れた効果が得られる。直接染料としては、４−ニトロ−ｏ−フェニレンジアミン、２−ニトロ−ｐ−フェニレンジアミン、ピクラミン酸、１−アミノ−４−メチルアントラキノン、１，４−ジアミノアントラキノン、２−アミノ−４−ニトロフェノール、２−アミノ−５−ニトロフェノール、ピクリン酸、及びその塩、「医薬品等に使用することができるタール色素を定める省令」（昭和４１年告示、厚生省）により定められた酸性染料である、赤色２号、赤色３号、赤色１０２号、赤色１０４号の（１）、赤色１０５号の（１）、赤色１０６号、赤色２０１号、赤色２２７号、赤色２３０号の（１）、赤色２３０号の（２）、赤色２３１号、赤色２３２号、赤色４０１号、赤色５０２号、赤色５０３号、赤色５０４号、赤色５０６号、黄色４号、黄色５号、黄色２０２号の（１）、黄色２０２号の（２）、黄色２０３号、黄色４０２号、黄色４０３号の（１）、黄色４０６号、黄色４０７号、だいだい色２０５号、だいだい色２０７号、だいだい色４０２号、緑色３号、緑色２０４号、緑色２０５号、緑色４０１号、緑色４０２号、紫色４０１号、青色１号、青色２号、青色２０２号、青色２０３号、青色２０５号、かっ色２０１号、黒色４０１号等が挙げられる。その配合量は、０．００１重量％よりも少ないと十分な染め上がり及び染色性が得られず、１０重量％を越えても、その効果は変わらず経済的ではないので、０．００１〜１０重量％が好ましい。そして特に、０．０１重量％以上配合することにより、より優れた染め上がり及び染色性が得られる一方、５重量％を越えた場合は染め上がり及び染色性の上昇は少なくなるので、０．０１重量％〜５重量％が更に好ましい。
【００４１】
なお、これらの染料を含有しない場合、２剤吐出容器１から吐出される混合剤は、脱色剤として使用できる。即ち、第１容器２には第１剤から染料を除いたものを充填し、第２容器３には酸化剤を充填し、両剤の混合剤を２剤吐出容器１から吐出させて毛髪に塗布すれば、毛髪の脱色を行うことができる。
【００４２】
また、酸化染料中間体を使用しないで直接染料のみを用いる場合、２剤吐出容器１から吐出される混合剤は、半永久染毛料として使用できる。即ち、第１容器２には酸化染料中間体を配合せずに直接染料のみを配合した第１剤を充填し、第２容器３には酸化剤を充填し、両剤の混合剤を２剤吐出容器１から吐出させて毛髪に塗布すれば、脱色と共に半永久的な染毛を行うことができる。
【００４３】
また、上記実施例のように、第２剤には、過酸化水素を配合させるが、その配合量は、０．１重量％よりも少ないと良好な染毛結果が得られず、９重量％を越えると毛髪の損傷及びエアゾール容器の破裂の可能性があるので、０．１〜９重量％が好ましい。そして、特に、２重量％以上配合することにより、優れた染毛効果と脱色効果が得られる一方、６重量％以下にすることにより毛髪の損傷及びエアゾール容器の破裂の可能性がより少なくなるので、２〜６重量％が更に好ましい。
【００４４】
また、第２剤には、第２剤を安定させるための安定剤として、例えば、フェナセチン、ＥＤＴＡ、８−ヒドロキシキノリン、アセトアニリド、ピロリン酸ナトリウム、バルビツール酸、尿酸、タンニン酸、パラベン等が挙げられる。また、ｐＨ調整剤として、例えば、リン酸、クエン酸、硫酸、酢酸、乳酸、酒石酸等を用いて、ｐＨ２〜６、好ましくはｐＨ３〜５に調整する。その他、前記のものを適宜、配合することができる。
【００４５】
また、上記実施例では、噴射剤として液化石油ガスを使用したが、これに限られるものではなく、例えばジメチルエーテルを使用してもよい。これらの液化石油ガス及び／またはジメチルエーテルを第１容器２及び第２容器３に充填すれば、第１剤及び第２剤を泡状に吐出されるので、両剤が良好に混合されつつ吐出されるので、染めむらが起こる可能性を少なくできるという効果を奏する。また、液化石油ガス及び／またはジメチルエーテルを噴射剤として用いれば、地肌を汚し難く、また、内容物の安定性に優れた効果が得られる。その配合量は、１重量％よりも少ないかあるいは５０重量％を越えると地肌汚れがあり、安定性にも問題が生じる可能性があるので、１〜５０重量％が好ましい。そして、特に、３重量％以上配合することにより、更に優れた地肌汚れの防止効果及び安定性が得られる一方、３０重量％を越えた場合は地肌汚れの防止効果及び安定性の上昇は少なくなるので、３〜３０重量％が更に好ましい。
【図面の簡単な説明】
【図１】  本発明の一実施例としての２剤吐出容器の全体的構造を示す分解斜視図である。
【図２】  本発明の２剤吐出容器の全体斜視図である。
【図３】  本発明の２剤吐出容器の内部構造を示す断面図である。
【図４】  図３のＸ−Ｘ断面における断面図である。
【符号の説明】
１…２剤吐出容器  ２…第１エアゾール容器  ３…第２エアゾール容器
５…カバー  ７…ノズル  １８、１９…ステム
２０…レバー  ２０ａ、２０ｂ…当接部  ３２…指掛け部
４１…ヒンジ
【図１】
0003752374.tif 000005
【図２】
0003752374.tif 000006
【図３】
0003752374.tif 000007
【図４】
0003752374.tif 000008